(57)【特許請求の範囲】
【請求項１】
内蔵された電気部品に電力を供給する電源コードのケーシングから引き出す部分を筒状のブッシングで被覆し、当該ブッシングの基端側をケーシングに固定した髪ケア装置において、
前記ブッシングに電源コードのねじれを規制するねじれ規制部を設け、当該ねじれ規制部によって電源コードのねじれを規制することにより、ブッシングの筒内に電源コードのねじれによる断線予定部を設定し、
前記ブッシングの筒内の前記ねじれ規制部より先端側となる部分に、前記断線予定部で電源コードが断線して筒内に生じたスパークを減衰させるスパーク減衰部を設け、
前記ブッシングの筒内で前記電源コードを被覆するチューブを備え、
前記チューブにより、前記筒内を前記断線予定部の近傍且つ先端側で閉塞したことを特徴とする髪ケア装置。
【請求項２】
前記ねじれ規制部を、前記ブッシングの筒内におけるブッシングと電源コードとのクリアランスが前記スパーク減衰部より狭い部分として設けたことを特徴とする請求項１に記載の髪ケア装置。
【請求項３】
前記ねじれ規制部から前記スパーク減衰部にかけて前記クリアランスを漸増させたことを特徴とする請求項２に記載の髪ケア装置。
【請求項４】
前記チューブは電源コードに被着した熱収縮チューブであることを特徴とする請求項１に記載の髪ケア装置。
【請求項５】
前記チューブの先端側に熱収縮領域を設け、前記チューブの基端側に収縮させない膨張領域を設け、
前記熱収縮領域と前記膨張領域との境界部分を断線予定部よりも先端部側に配置し、前記境界部分によってブッシングの筒内を閉塞していることを特徴とする請求項４に記載の髪ケア装置。
【発明の詳細な説明】
【技術分野】
【０００１】
本発明は、髪ケア装置に関する。
【背景技術】
【０００２】
従来の髪ケア装置として、特許文献１に開示されるものが知られている。この特許文献１では、電源コードを外部に引き出す部分に、これを被覆するブッシングを設け、その先端部分にブッシングの筒内を部分的に塞ぐ被着片を設けてある。これにより、電源コードが曲げられて断線した際に、当該断線した部分で生じたスパークがブッシングの筒外へ漏出するのを抑制している。
【特許文献１】特開２００２−３６９７１４号公報
【発明の開示】
【発明が解決しようとする課題】
【０００３】
上記特許文献１に開示されるヘアドライヤは、主として電源コードの曲げによる断線に対応した構成となっている。
【０００４】
発明者らは、ブッシング筒内からのスパークの漏出の抑制についてさらに検討を重ねた結果、電源コードがねじられて断線した場合に、スパークの漏出をより一層効果的に抑制することが可能な新規な構成を見出した。
【０００５】
すなわち、本発明は、電源コードがねじられて断線した場合に生じたスパークがブッシングの筒内から漏出するのをより効果的に抑制することが可能な髪ケア装置を得ることを目的とする。
【課題を解決するための手段】
【０００６】
請求項１の発明にあっては、内蔵された電気部品に電力を供給する電源コードのケーシングから引き出す部分を筒状のブッシングで被覆し、当該ブッシングの基端側をケーシングに固定した髪ケア装置において、上記ブッシングに電源コードのねじれを規制するねじれ規制部を設け、当該ねじれ規制部によって電源コードのねじれを規制することにより、ブッシングの筒内に電源コードのねじれによる断線予定部を設定し、上記ブッシングの筒内の上記ねじれ規制部より先端側となる部分に、上記断線予定部で電源コードが断線して筒内に生じたスパークを減衰させるスパーク減衰部を設け、上記ブッシングの筒内で上記電源コードを被覆するチューブを備え、上記チューブにより、上記筒内を、上記断線予定部より先端側で閉塞したことを特徴とする。
【０００７】
請求項２の発明にあっては、上記ねじれ規制部を、上記ブッシングの筒内におけるブッシングと電源コードとのクリアランスが上記スパーク減衰部より狭い部分として設けたことを特徴とする。
【０００８】
請求項３の発明にあっては、上記ねじれ規制部から上記スパーク減衰部にかけて上記クリアランスを漸増させたことを特徴とする。
【００１０】
請求項４の発明にあっては、上記チューブは電源コードに被着した熱収縮チューブであることを特徴とする。
【００１１】
請求項５の発明にあっては、上記チューブの先端側に熱収縮領域を設け、上記チューブの基端側に収縮させない膨張領域を設け、上記熱収縮領域と上記膨張領域との境界部分を断線予定部よりも先端部側に配置し、上記境界部分によってブッシングの筒内を閉塞していることを特徴とする。
【発明の効果】
【００１２】
請求項１の発明によれば、ねじれ規制部を設けたことによってブッシングの筒内に電源コードのねじれによる断線位置を規定し、その断線位置で生じたスパークをスパーク減衰部によってより確実に弱めて、スパークがブッシングの先端側から筒外に漏出するのを抑制することができる。すなわち、比較的簡素な構成によって、電源コードがねじられて断線した場合に生じたスパークがブッシングの筒内から漏出するのを抑制することができる。また、チューブがブッシングの筒内でスパークの障壁となるため、スパークがブッシングの先端部から筒外へ漏出するのをより確実に抑制することができる。
【００１３】
請求項２の発明によれば、上記クリアランスの設定によってブッシングの筒内における電源コードのねじれ量を規定するようにしたため、ねじれ規制部を比較的簡素な構成として得ることができる。
【００１４】
請求項３の発明によれば、断線予定部で生じたスパークが、ねじれ規制部側、すなわちブッシングの筒内の基端部側へ進入しやすくなって、その分、スパークがブッシングの先端部側から筒外へ漏出するのをより一層抑制することができる。
【００１６】
請求項４の発明によれば、上記チューブを比較的容易に装備することができる。
【００１７】
請求項５の発明によれば、上記チューブによって、ブッシングの筒内を断線予定部より先端側で閉塞したため、スパークがブッシングの先端側の開口部から筒外へ漏出するのをより一層確実に抑制することができる。
【発明を実施するための最良の形態】
【００１８】
以下、本発明の実施形態について図面を参照しながら詳細に説明する。なお、以下の複数の実施形態には、同様の構成要素が含まれている。よって、以下では、それら同様の構成要素については共通の符号を付与するとともに、重複する説明を省略する。
【００１９】
（第１実施形態）図１は、本実施形態にかかる髪ケア装置としてのヘアドライヤの断面図、また、図２は、図１のブッシング装着部分を拡大した図である。
【００２０】
図１に示すように、本実施形態にかかる髪ケア装置としてのヘアドライヤ１は、本体部２とハンドル部３とが略Ｔ字状に結合された形状を有している。なお、ハンドル部３は、回動部Ｒを屈曲の基点として折り畳み可能となっている。図１は、ハンドル部３を伸展させた状態を示している。
【００２１】
本体部２のケーシング２ａは、断面略アーチ状の左右勝手違いの分割体同士を突き合わせて略筒状に形成されている。このケーシング２ａの筒内には、吸気口４ａから吹出口４ｂに至る空気通路４が形成される。空気通路４には、電動モータ５と、この電動モータ５によって駆動される軸流ファン６とが設けられており、電動モータ５によって軸流ファン６を回転させることで、空気通路４内に吸気口４ａから吹出口４ｂに至る空気流が生成される。
【００２２】
また、空気通路４の下流側にはヒータ８を設け、加熱された温風を吹出口４ｂから吹き出せるようにしてある。さらに、静電霧化によるミスト発生部７を設け、微粒化されたミストをミスト排出口７ａから排出できるようにしてある。
【００２３】
ハンドル部３のハンドルケーシング３ａは、断面略アーチ状の左右勝手違いの分割体同士を突き合わせて形成されている。このハンドルケーシング３ａ内には、リード線１０ｂが配索されている。また、ハンドル部３の長手方向中間部には、操作スイッチ９が設けられている。
【００２４】
上記構成では、電動モータ５、ミスト発生部７、ならびにヒータ８が、供給された電力によって動作する電気部品に相当する。これら電気部品にはリード線１０ｂを介して電力が供給される。リード線１０ｂの内部導体は、電源コード１０を成すリード線１０ａの内部導体に電気的に接続されている。なお、本実施形態では、電源コード１０は、二本のリード線１０ａを隣接して並べて結合した扁平な形状となっている。
【００２５】
そして、本実施形態では、この電源コード１０を、ハンドル部３の先端部のハンドルケーシング３ａに形成した貫通孔３ｂから外部に引き出すとともに、その引き出す部分をブッシング１１で被覆してある。
【００２６】
ブッシング１１は、絶縁性の樹脂材料を細長い筒状に成形してある。その筒内１１ａは、電源コード１０の断面形状に対応した扁平な（例えば略角筒状あるいは略長円状の）断面を有しており、この筒内１１ａに電源コード１０が挿通されている。また、ブッシング１１の長手方向先端側の外周には凹凸形状１１ｂが施されており、可撓性の向上と美観の向上とが図られている。
【００２７】
ブッシング１１の基端側はハンドルケーシング３ａ内に収容されており、その収容された部分には、筒内１１ａを挟んで一対の略円盤状の張出部１１ｃが設けられている。張出部１１ｃの略中央部にはそれぞれ貫通孔１１ｄが形成されている。そしてハンドルケーシング３ａには、円柱状の突起３ｄが突設されており、この突起３ｄを貫通孔１１ｄに嵌挿することで、ブッシング１１をハンドルケーシング３ａに固定してある。ハンドル部３の先端部に設けられる貫通孔３ｂには、電源コード１０とともにこれを被覆するブッシング１１も貫通されている。
【００２８】
電源コード１０の各リード線１０ａは、ハンドルケーシング３ａの各分割体に設けられた相互に対向する一対のリブ３ｃ（図２では一方の分割体のリブ３ｃのみ図示）によって挟持されており、これにより、電源コード１０をハンドルケーシング３ａに固定してある。
【００２９】
また、ブッシング１１の基端側のハンドルケーシング３ａより外側となる部分には、貫通孔１１ｆを有する略円盤状のリング部１１ｅが突設されている。
【００３０】
ここで、本実施形態では、ブッシング１１に電源コード１０のねじれを規制するねじれ規制部Ａ１を設けてある。本実施形態では、ブッシング１１の長手方向基端側で、筒内１１ａにおけるブッシング１１と電源コード１０とのクリアランスｗ１をそれより先端側の領域（スパーク減衰部Ａ２）のクリアランスｗ２より小さくすることで、筒内１１ａ内における電源コード１０のねじれ量を小さくしてある。
【００３１】
そして、このようにねじれ規制部Ａ１を設けることで、その長手方向先端側に電源コード１０の断線予定部Ａ３を設定してある。すなわち、電源コード１０が大きくねじられた場合において、ねじれ規制部Ａ１では電源コード１０のねじれが規制されるため、電源コード１０は、ねじれ規制部Ａ１より先端側に隣接した位置でねじれ破断限界を超えることになる。この断線予定部Ａ３の位置や区間長は、ねじれ規制部Ａ１における最大ねじれ角や電源コード１０の被膜のねじれ破断限界角度等に基づいて調整することができる。
【００３２】
さらに、本実施形態では、ねじれ規制部Ａ１より先端側に所要長さのスパーク減衰部Ａ２を設けてある。このスパーク減衰部Ａ２は、電源コード１０の断線位置Ｂで生じたスパークＳを、主として自然冷却することで先端側の開口部１１ｇに到達する前に減衰させて、消滅させるものである。なお、スパーク減衰部Ａ２では、筒内１１ａにおけるブッシング１１と電源コード１０とのクリアランスｗ２を、ねじれ規制部Ａ１のクリアランスｗ１より大きく設定してある。
【００３３】
そして、本実施形態では、ねじれ規制部Ａ１からスパーク減衰部Ａ２にかけて、ブッシング１１の筒内１１ａにおけるブッシング１１と電源コード１０とのクリアランスを漸増させている。すなわち、本実施形態では、上述したように、スパーク減衰部Ａ２におけるクリアランスｗ２をねじれ規制部Ａ１におけるクリアランスｗ１より大きく設定してあるが、このようにクリアランスを変化させるのに際し、段差等の急変部を設けることなく、滑らかに徐変させてある。ここで、仮に、ねじれ規制部Ａ１とスパーク減衰部Ａ２との間に段差等を形成した場合、断線予定部Ａ３で生じたスパークＳに対してその段差が障壁となって、スパークＳが断線位置Ｂからブッシング１１の筒内１１ａの基端側、すなわちハンドルケーシング３ａ内側に進みにくくなり、その分、スパークＳがブッシング１１の筒内１１ａの先端側に進行する確率が増大してしまう場合がある。この点、本実施形態によれば、このような障壁が形成されないこととなるため、スパークＳは、ブッシング１１の筒内１１ａの基端側にも比較的円滑に進入することができるようになり、その分、スパークＳがブッシング１１の筒内１１ａの先端部側から筒外へ漏出するのをより一層抑制することができる。なお、クリアランスは、ブッシング１１の筒内１１ａにおいて、基端から先端にかけてその全体に亘って漸増してもよいし、ねじれ規制部Ａ１となる領域では筒内１１ａのクリアランス（すなわち筒内径）を略一定とし、ねじれ規制部Ａ１の長手方向先端側の端部から先端側にかけて、クリアランス（すなわち筒内径）を漸増させてもよい。
【００３４】
以上、説明したように、本実施形態では、ブッシング１１に電源コード１０のねじれを規制するねじれ規制部Ａ１を設け、当該ねじれ規制部Ａ１によって電源コード１０のねじれを規制することにより、ブッシング１１の筒内１１ａに電源コード１０のねじれによる断線予定部Ａ３を設定し、ブッシング１１の筒内１１ａのねじれ規制部Ａ１より先端側となる部分に、断線予定部Ａ３で電源コード１０が断線して筒内に生じたスパークＳを減衰させるスパーク減衰部Ａ２を設けた。すなわち、ねじれ規制部Ａ１を設けたことによってブッシング１１の筒内１１ａに電源コード１０のねじれによる断線位置Ｂを規定し、その断線位置Ｂで生じたスパークＳをスパーク減衰部Ａ２によってより確実に弱めて、スパークＳがブッシング１１の筒内１１ａの先端側から筒外に漏出するのを抑制することができる。すなわち、比較的簡素な構成によって、電源コード１０がねじられて断線した場合に生じたスパークＳがブッシング１１の筒内１１ａから漏出するのを抑制することができる。
【００３５】
また、本実施形態では、ねじれ規制部Ａ１を、ブッシング１１の筒内１１ａにおけるブッシング１１と電源コード１０とのクリアランスがスパーク減衰部Ａ２より狭い部分として設けた（ｗ１＜ｗ２）。すなわち、クリアランスの設定によってブッシング１１の筒内１１ａにおける電源コード１０のねじれ量を規定するようにしたため、ねじれ規制部Ａ１を比較的簡素な構成として得ることができる。
【００３６】
また、本実施形態では、ねじれ規制部Ａ１からスパーク減衰部Ａ２にかけてクリアランスを漸増させた。よって、断線予定部Ａ３で生じたスパークＳが、ねじれ規制部Ａ１側、すなわちブッシング１１の筒内１１ａの基端部側へより進入しやすくなって、その分、スパークＳがブッシング１１の先端部側から筒外へ漏出するのをより一層抑制することができる。
【００３７】
（第２実施形態）図３は、本実施形態にかかる髪ケア装置としてのヘアドライヤのブッシングを設けた部分の断面図である。
【００３８】
本実施形態にかかるヘアドライヤ１Ａでは、チューブ１２で被覆した電源コード１０をブッシング１１内に挿入しており、この点が、上記第１実施形態と相違している。具体的には、チューブ１２は、加熱して収縮させて装着する熱収縮チューブとして、その先端側（ブッシング１１の長手方向先端側）に熱収縮領域１２ａを設ける一方、基端側では収縮させない膨張領域１２ｂを設け、さらに、ブッシング１１内に挿入して組み付けた状態で、熱収縮領域１２ａと膨張領域１２ｂとの境界部分１２ｃを、断線予定部Ａ３より先端部側に配置してある。このとき、膨張領域１２ｂでは、ブッシング１１の筒内１１ａの内壁面に密着するように、膨張領域１２ｂの外径（すなわち、熱収縮前のチューブ１２の径）をブッシング１１の筒内１１ａの内径より大きくし、これにより、境界部分１２ｃによってブッシング１１の筒内１１ａを閉塞してある。
【００３９】
したがって、断線位置Ｂで生じたスパークＳは、この境界部分１２ｃが障壁となって、境界部分１２ｃより先端側には進出できなくなり、チューブ１２の境界部分１２ｃより基端側の領域１１ｈ（膨張領域１２ｂより内側でありかつ電源コード１０の外側となる領域）内に存在することとなる。
【００４０】
すなわち、本実施形態によれば、チューブ１２によって、ブッシング１１の筒内１１ａを、断線予定部Ａ３より先端側で閉塞したため、スパークＳがブッシング１１の先端側の開口部１１ｇから筒外へ漏出するのをより一層確実に抑制することができる。なお、かかる構成においてもスパーク減衰部Ａ２を設けるのが好ましいが、スパーク減衰部Ａ２を設けない場合にあっても、境界部分１２ｃで閉塞することによる効果は得られる。
【００４１】
以上、本発明の好適な実施形態について説明したが、本発明は上記実施形態には限定されず、種々の変形が可能である。例えば、本発明は、図４〜図６に示す各種の髪ケア装置として実施することができる。
【００４２】
図４のブラシ付きヘアドライヤ１Ｂには、本体部１３の先端部にブリッスル１４ａを有するブラシ１４を設けてある。そして、ブラシ１４には温風または冷風を吹き出す吹出口１４ｂが形成されている。このブラシ付きヘアドライヤ１Ｂは、電気部品としてファン駆動用の電動モータやヒータ等（図示せず）を内蔵しており、それらに電力を供給する電源コード１０を本体部１３のケーシングから引き出す部分に、上記第２実施形態と同様のブッシング１１およびチューブ１２を装備してある。
【００４３】
図５のヘアアイロン１Ｃには、本体部１５の先端部分に加熱挟持部１６Ａ，１６Ｂを設けてある。このヘアアイロン１Ｃは、電気部品としてヒータ等（図示せず）を内蔵しており、それに電力を供給する電源コード１０を本体部１５のケーシングから引き出す部分に、上記第２実施形態と同様のブッシング１１およびチューブ１２を装備してある。
【００４４】
図６のヘアブラシ１Ｄには、本体部１７の先端部にブリッスル１８ａを有するブラシ１８を設けてある。このヘアブラシ１Ｄは、電気部品としてヘアカッタ用の電動モータやヒータ等（いずれも図示せず）を内蔵しており、それらに電力を供給する電源コード１０を本体部１７のケーシングから引き出す部分に、上記第２実施形態と同様のブッシング１１およびチューブ１２を装備してある。
【００４５】
そして、これら図４〜図６に示す各種髪ケア装置には、上記第２実施形態にかかるブッシング１１およびチューブ１２に替えて、上記第１実施形態にかかるブッシング１１のみ（チューブ無し）を適用できることはもちろんである。
【００４６】
また、ブッシングや、チューブ、これらを適用する電源コードのスペック等も、上記実施形態には限定されず、種々のタイプのものに本発明を適用することができる。また、ねじれ規制部として、ねじれを防止するリブ等を設けてもよい。
【００４７】
また、ブッシングの筒内では、ねじれ規制部より基端側（ハンドル部側）では、電源コードとブッシングとのクリアランスをねじれ規制部のクリアランスより大きくしてもよい。これにより、スパークを基端側に進行させやすくすることができる。
【００４８】
そして、上記開示した各構成が、電源コードの曲げによる断線によって生じたスパークに対しても有効に機能することは容易に理解できよう。
【図面の簡単な説明】
【００４９】
【図１】本発明の第一実施形態にかかる髪ケア装置としてのヘアドライヤの断面図である。
【図２】図１のブッシング装着部分を拡大した図である。
【図３】本発明の第二実施形態にかかる髪ケア装置としてのヘアドライヤのブッシングを設けた部分の断面図である。
【図４】本発明の第二実施形態の変形例にかかる髪ケア装置としてのブラシ付きヘアドライヤを示す図（一部断面図）である。
【図５】本発明の第二実施形態の変形例にかかる髪ケア装置としてのヘアアイロンを示す図（一部断面図）である。
【図６】本発明の第二実施形態の変形例にかかる髪ケア装置としてのヘアブラシを示す図（一部断面図）である。
【符号の説明】
【００５０】
Ａ１  ねじれ規制部
Ａ２  スパーク減衰部
Ａ３  断線予定部
Ｂ  断線位置
Ｓ  スパーク
ｗ１  （ねじれ規制部の）クリアランス
ｗ２  （スパーク減衰部の）クリアランス
１，１Ａ  ヘアドライヤ（髪ケア装置）
１Ｂ  ブラシ付きヘアドライヤ（髪ケア装置）
１Ｃ  ヘアアイロン（髪ケア装置）
１Ｄ  ヘアブラシ（髪ケア装置）
３ａ  ハンドルケーシング（ケーシング）
５  電動モータ（電気部品）
７  ミスト発生部（電気部品）
８  ヒータ（電気部品）
１０  電源コード
１１  ブッシング
１１ａ  筒内
１２  チューブ
【図１】
0005009853.tif 000002
【図２】
0005009853.tif 000003
【図３】
0005009853.tif 000004
【図４】
0005009853.tif 000005
【図５】
0005009853.tif 000006
【図６】
0005009853.tif 000007